(57)【特許請求の範囲】
【請求項１】
透明ガラス、パズルプレート、パズルピースを具有し、
パズルプレートは該透明ガラスに設置し、該パズルプレートは少なくとも一つのパズル穴を具有し、図形或いは文字を形成し、
パズルピースを少なくとも一つ具有し、該底部形状は該パズル穴と相同するため、該パズル穴に対応して設置した後、該パズルピースの表面はパズルプレートより突出し、該パズルピースは色を具有することを特徴とするカラーステンドグラスパズルの構造。
【請求項２】
前記パズル穴は下辺縁を具有し、パズルピースをパズル穴に設置した後、該縁と接触することを特徴とする請求項1記載のカラーステンドグラスパズルの構造。
【請求項３】
前記パズルピースの表面に出っ張りを具有することを特徴とする請求項1記載のカラーステンドグラスパズルの構造。
【請求項４】
前記パズル穴の周囲にあるパズルプレートの上に複数の柱を設置し、パズルピース下辺縁に設置する複数の該柱と対応する穴を設け、該パズルピースをパズル穴に設置した後、該柱は該穴と嵌合できることを特徴とする請求項1記載のカラーステンドグラスパズルの構造。
【請求項５】
前記パズルピースの片側サイド壁に溝を具有することを特徴とする請求項1記載のカラーステンドグラスパズルの構造。
【請求項６】
前記パズルピースの表面に色を塗装することを特徴とする請求項1記載のカラーステンドグラスパズルの構造。
【請求項７】
前記パズルピースの色を具有した一体化製品であることを特徴とする請求項1記載のカラーステンドグラスパズルの構造。
【請求項８】
前記パズルピースの一つの内面に一層のラメを具有することで、色を形成することを特徴とする請求項1記載のカラーステンドグラスパズルの構造。
【請求項９】
前記透明ガラス及びパズルプレートの間に、更に透明プレートを設置することを特徴とする請求項1記載のカラーステンドグラスパズルの構造。
【請求項１０】
前記パズルピースの表面に一つの立体図案を具有することを特徴とする請求項1記載のカラーステンドグラスパズルの構造。
【発明の詳細な説明】
【技術分野】
【０００１】
本発明はパズルの構造に関し、特にガラスの表面に粘着することができ、随時パズルの柄や色を交換できるカラーステンドグラスパズルの構造に関する。
【背景技術】
【０００２】
ステンドグラスは美しく芸術的な作品であり、教会の壁のいたるところに、この類の芸術品を目にすることができる。その柄の種類は多く、色も鮮やかで、見る人の目を捉えて離さない。ステンドグラスの製造方法は、様々な形状や色のガラスを利用し、溶接などの方法で一枚ずつ組み合わせて作る光を透過することができるものであり、色褪せないが、製作に大変時間がかかる。
【０００３】
初期ステンドグラスを製作する際、予めその柄及び色を決め、完成後は柄と色を変えることができない。多変化を求める現代では、季節に合わせた柄や色を随時交換できれば、そのニーズに応えることができる。従来技術のステンドグラスは、季節に合わせて交換したい場合、ガラスごと全て取り替えなければならない。また、製作に時間がかかり、且つステンドグラスはいずれも平面の図案であるため、生き生きとした立体感のある図案を出すことができないなど、改善する必要があった。
【特許文献１】特開平１１−１１５３９６号公報
【発明の開示】
【発明が解決しようとする課題】
【０００４】
上記の問題を鑑みて、本発明はガラスに異なる色や図案、文字、または同じ柄に色を交換することができる。また本発明のパズルプレートセットにより、立体感のあるステンドグラスパズル構造を提供することを目的とする。
【課題を解決するための手段】
【０００５】
上述の目的を解決するために、本発明はステンドグラスパズル構造を提供するものであり、主にパズルプレートを透明のガラスに置く。該パズルプレートは少なくとも一つの穴を具有し、図形或いは文字を形成する。及び少なくとも一つのパズルピースを具有し、該形状及びサイズは前記パズル穴と同じにする。また、該パズル穴に設置する該パズルピースは色を具有する。
【発明の効果】
【０００６】
本発明のパズルプレートの上で異なる色のパズルピースを交換、或いは異なるパズルプレートを透明ガラスの上に貼ることで、透明ガラスをデコレーションすることができる。太陽光の照射を経て、ステンドグラスの効果を持つ。また、パズルプレートにより構成する図形は立体感を具有し、透明ガラスの上にイキイキとした柄を形成することもできる。
【発明を実施するための最良の形態】
【０００７】
以下本発明によるカラーステンドグラスパズル構造を明確に示すために図に沿って詳細な説明を行う。図１に示すのは、本発明のカラーステンドグラスパズル構造の組み立て図である。パズルプレート1及び該パズルプレート1に嵌合するパズルピース2を具有し、パズルプレート1はパズルピース2を共にガラス3の表面に設置することで、ガラス3は各種の図形或いは文字を呈し、美観及び宣伝の効果に達する。また本発明は子供或いはパズル愛好家の楽しみともなる。
【０００８】
図２に示すのは、本発明のカラーステンドグラスパズル構造の分解図である。パズルを設置するガラス3は、光透過性の強い透明ガラスがベストである。
【０００９】
ガラス3の上に設置するパズルプレート1は薄い長方形のプレートであり、該面積はガラス3よりやや小さく、材質はプラスティック或いはアクリルで作られ、本実施例はプラスティックで作った黒色のパズルプレート1である。パズルプレート1の上にパズルプレート1を貫通するパズル穴11を少なくとも一つ設け、パズル穴11は一つ或いは一組の図案或いは文字を構成する。本実施例では、パズルプレート1は「熊」を構成できる複数のパズル穴11を具有し、ほかの実施例では、該パズル穴は人物や物品など、各種の図形或いは文字にすることができ、本発明の範囲を限定しない。また、パズルプレート1の背面各周辺に複数本の接合柱12を成型することで、パズルプレート1をガラス3に設置する接合ポイントとすることもできる。
【００１０】
パズル穴11に嵌合するパズルピース2の底面は材料を節約するために、透かした状態にし、且つパズル穴11と形状及び大小が対応し、材質はプラスティック或いはアクリルなどの材質で作られる。本実施例はプラスティックで作った全てのパズルピース2の表面はいずれも色を具有し、各パズルの色は同じ或いは異なっても良い。また、パズルピース2の厚みはパズルプレート1より厚い。パズルピース2に色を施す方法は本実施例に示すように、パズルピース2を製作する過程で色を調合し、パズルピース2が射出成型する際に、予め色を具有するようにする。また、パズルピース2の表面に色を塗る、或いはパズルピース2の内面にラメを敷くなど、その方法の範囲を限定しない。
【００１１】
本発明のカラーステンドグラスパズル構造を組み合わせる際、まずパズルプレート1周辺の各接合柱12の上に両面テープを粘着し、パズルプレート1をガラス3の上に貼り合わせる。続いてパズルピース2を対応するパズル穴11に嵌合する。パズルピース2をパズル穴11に嵌合すると、パズルプレート1の上に熊の図案が現れる。パズルピース2の厚みはパズルプレート1より厚く、パズルプレート1の表面より突き出すため、取り出しやすく、且つその厚みにより生き生きとした立体感が生まれる。パズルピース2とパズル穴11を嵌合した後、パズルプレート1の背面より外れるのを防止するため、パズルプレート1の各パズル穴11の下辺に縁111を設ける。該下辺縁111はパズルプレート1と一体型であり、該パズルピース2をパズル穴11に嵌合した後、該下辺縁111により、パズル穴11から外れることはない。
【００１２】
パズルピース2をパズルプレート1に設置する方法について、本実施例は、パズルピース2とパズル穴11をしっかりと嵌合できるようデザインしているため、パズルピース2をパズル穴11に押し入れると、パズルピース2は抜け落ちることがない。或いは図3に示すように、パズルプレート1の各パズル穴11の周囲に複数本の柱13を設置し、パズルピース2の下辺に複数個の該柱14に対応する穴21を設置する。パズルピース2をパズル穴11に嵌合した後、該柱13を該穴21に押し入れる。
【００１３】
図３に示すように、本発明の各パズルピース2の表面に出っ張り22を設け、該出っ張り22はパズルピース2と一体型であり、該出っ張り22はパズルピース2を簡単にパズル穴11より抜き取るために設けたものである。或いは図４に示すように、各パズルピース2のサイド壁に溝23を設けることで、パズルピース2を簡単に外すことができる。また、本実施例では、パズルピース2の表面は恐竜やカエルなど、様々な形状をした立体柄24にデザインすることができ、面白みが増すと同時に、その厚みにより立体感の効果が生まれる。
【００１４】
パズルピース2がパズル穴11より抜けるのを防止するのに、各パズルピース2の底面と周辺のパズルプレート1の間に両面テープで粘着することができる。パズルプレート1自体をガラス3の表面に粘着することができるほか、各パズルピース2はガラス3の表面に粘着することができる。図５に示すのは、本発明のカラーステンドグラスパズル構造の第二実施例である。本実施例はガラス3とパズルプレート1の間に別途透明プレート4を設け、該透明プレート4の大きさはパズルプレート1の大きさと対応する。一面をガラス3に粘着し、もう一面はパズルプレート1に粘着する。透明プレート4の材質はポリエチレン或いはポリスチレンなどの透明プラスティック材料で作られ、光を透過する。本発明のパズルピース2の数はパズルの図案に基づき定まるため、数が多い場合、パズルをガラス3から別のガラスに変更したい場合、第一実施例のパズルピース2をガラスに粘着する方法では、パズルピース2を一つ一つパズルプレート1より剥がしてからパズルプレート1と共に一つ一つ別のガラス3の上に粘着するため、時間が大変かかり面倒である。よって、本実施例の設置する透明プレート4を使用すれば、パズルピース2を一つ一つ剥がさなくても、ユーザーは透明プレート4を元のガラス3から外せば、透明プレート4に粘着しているパズルプレート1とパズルピース2は透明プレート4と一緒に別のガラスに移動することができ、時間を節約することができる。
【００１５】
本発明は主にパズルを楽しめるだけでなく、完成品をステンドグラスとして飾ることができる。透明ガラスが各種の図形或いは文字を呈すことで、美観と宣伝の効果を併せ持つ。また、知育玩具として、子供も楽しむことができ、完成しても、自らパズルピースの色を変えるなどで、視覚と美観性を伴う。本発明はパズルプレートの上で異なる色のパズルピースを交換、或いは異なる図案のパズルを透明ガラスの上に粘着することで、多様化した楽しみ方ができる。また、ガラスに太陽光が照らすとき、より華やかに輝き、且つ厚みのあるパズルピースにより立体感が生まれる。
【００１６】
以上の実施例による本発明の詳細な説明は本発明の範囲を制限するものではない。本技術に熟知する者は、固定構造の変更などの適当な変更および調整を行うことができ、これらの変更および調整を行っても本発明の重要な意義は失われず、本発明の範囲に含まれる。
【図面の簡単な説明】
【００１７】
【図１】本発明におけるカラーステンドグラスパズル構造の組合せ図である。
【図２】本発明のカラーステンドグラスパズル構造の分解図である。
【図３】本発明のカラーステンドグラスパズル構造パズルピース第一実施例の組合せ断面図である。
【図４】本発明のカラーステンドグラスパズル構造パズルピース第二実施例の組合せ断面図である。
【図５】本発明のカラーステンドグラスパズル構造第二実施例の分解図である。
【符号の説明】
【００１８】
1 パズルプレート
11 パズル穴
111 縁
12 接合柱
13 柱
2 パズルピース
21 穴
22 出っ張り
23 溝
24 立体図案
3 ガラス
4 透明プレート
【図１】
0004658154.tif 000002
【図２】
0004658154.tif 000003
【図３】
0004658154.tif 000004
【図４】
0004658154.tif 000005
【図５】
0004658154.tif 000006